(57)【要約】【課題】本発明の目的は、ユーザーの使い勝手を向上させることができる映像表示装置及び遠隔制御装置並びにその動作方法を提供することにある。【解決手段】本発明の映像表示装置の動作方法は、ＩＲブラスターメニュー画面を表示する段階と、画面に含まれる電子機器のいずれか一つに対する選択入力を受信する段階と、選択入力に基づいて、選択された電子機器のＩＲフォーマットキー情報または選択された電子機器の機器情報を遠隔制御装置に送信する段階と、を含み、本発明の遠隔制御装置の動作方法は、映像表示装置から所定電子機器のＩＲフォーマットキー情報または機器情報を受信する段階と、受信した情報に基づいて、入力されるコマンドを電子機器のＩＲフォーマットキーに適合するようにＩＲ信号を生成する段階と、ＩＲ信号を電子機器に送信する段階と、を含む。【選択図】図６
2013055650.tif 000002
【特許請求の範囲】
【請求項１】
ＩＲブラスターメニュー画面を表示する段階と、
前記画面に含まれる電子機器のいずれか一つに対する選択入力を受信する段階と、
前記選択入力に基づいて、選択された電子機器のＩＲフォーマットキー情報または前記選択された電子機器の機器情報を遠隔制御装置に送信する段階と、
を含む、映像表示装置の動作方法。
【請求項２】
前記ＩＲブラスターメニュー画面は、電子機器の種類を選択できる上位メニュー、及び電子機器のメーカー、モデルを選択できる下位メニューを含む、請求項１に記載の映像表示装置の動作方法。
【請求項３】
前記選択された電子機器のＩＲフォーマットキー情報または前記選択された電子機器の機器情報の送信は、ＲＦ通信方式で行われる、請求項１に記載の映像表示装置の動作方法。
【請求項４】
前記選択された電子機器のＩＲフォーマットキー情報は、記憶部に既に記憶されている、請求項１に記載の映像表示装置の動作方法。
【請求項５】
ＩＲフォーマットキーデータベースをアップデートする段階をさらに含む、請求項１に記載の映像表示装置の動作方法。
【請求項６】
映像表示装置から所定の電子機器のＩＲフォーマットキー情報または前記電子機器の機器情報を受信する段階と、
前記受信した情報に基づいて、前記電子機器のＩＲフォーマットキーに適合するようにＩＲ信号を生成する段階と、
前記ＩＲ信号を前記電子機器に送信する段階と、
を含む、遠隔制御装置の動作方法。
【請求項７】
前記情報の受信は、ＲＦ通信方式で行われる、請求項６に記載の遠隔制御装置の動作方法。
【請求項８】
前記ＩＲ信号の送信は、ＩＲ通信方式で行われる、請求項６に記載の遠隔制御装置の動作方法。
【請求項９】
ユーザーのコマンド入力を受信する段階をさらに含み、
前記ＩＲ信号の生成段階は、前記受信した電子機器のＩＲフォーマットキー情報のうち、前記コマンド入力に対応する情報に基づいて、前記ＩＲ信号を生成する、請求項６に記載の遠隔制御装置の動作方法。
【請求項１０】
前記ＩＲ信号の生成段階は、既に記憶されているＩＲフォーマットキーデータベース中の、前記機器情報に対応する情報に基づいて、前記ＩＲ信号を生成する、請求項６に記載の遠隔制御装置の動作方法。
【請求項１１】
ユーザーのコマンド入力を受信する段階と、
前記受信したコマンド入力に対応するＩＲフォーマットキー情報を前記映像表示装置に要求する段階と、をさらに含む、請求項６に記載の遠隔制御装置の動作方法。
【請求項１２】
ＩＲブラスターモード画面を表示するディスプレイと、
前記画面に含まれる電子機器のいずれか一つに対する選択入力を遠隔制御装置から受信するインターフェース部と、
前記選択入力に基づいて、選択された電子機器のＩＲフォーマットキー情報または前記選択された電子機器の機器情報を前記遠隔制御装置に送信するように制御する制御部と、
を備える、映像表示装置。
【請求項１３】
前記ＩＲブラスターメニュー画面は、電子機器の種類を選択できる上位メニュー、及び電子機器のメーカー、モデルを選択できる下位メニューを含む、請求項１２に記載の映像表示装置。
【請求項１４】
前記インターフェース部は、ＲＦモジュールを有し、
前記情報の送信は、前記ＲＦモジュールによりＲＦ通信方式で行われる、請求項１２に記載の映像表示装置。
【請求項１５】
前記選択された電子機器のＩＲフォーマットキー情報を含むＩＲフォーマットキーデータベースを記憶する記憶部をさらに備える、請求項１２に記載の映像表示装置。
【請求項１６】
前記制御部は、前記ＩＲフォーマットキーデータベースをアップデートするように制御する、請求項１５に記載の映像表示装置。
【請求項１７】
映像表示装置から所定の電子機器のＩＲフォーマットキー情報または前記電子機器の機器情報を受信する第１モジュールと、
前記受信した情報に基づいて、前記電子機器のＩＲフォーマットキーに適合するようにＩＲ信号を生成し、または、変更するように制御する制御部と、
前記ＩＲ信号を前記電子機器に送信する第２モジュールと、
を備える、遠隔制御装置。
【請求項１８】
前記第１モジュールはＲＦモジュールであり、
前記情報の受信は、前記ＲＦモジュールによりＲＦ通信方式で行われる、請求項１７に記載の遠隔制御装置。
【請求項１９】
前記第２モジュールはＩＲモジュールであり、
前記信号の送信は、前記ＩＲモジュールによりＩＲ通信方式で行われる、請求項１７に記載の遠隔制御装置。
【請求項２０】
ユーザーのコマンド入力を受信するユーザー入力部をさらに備え、
前記制御部は、前記受信した電子機器のＩＲフォーマットキー情報のうち、前記コマンドに対応する情報に基づいて前記ＩＲ信号を生成する、請求項１７に記載の遠隔制御装置。
【発明の詳細な説明】
【技術分野】
【０００１】
本発明は、映像表示装置及び遠隔制御装置並びにその動作方法に係り、特に、ユーザーの使い勝手を向上させることができる映像表示装置及び遠隔制御装置並びにその動作方法に関する。
【背景技術】
【０００２】
映像表示装置は、ユーザーが視聴できる映像を表示する機能を備えた装置である。ユーザーは、映像表示装置から放送を視聴することができる。映像表示装置は、放送局から送出される放送信号のうち、ユーザーにより選択された放送をディスプレイに表示する。現在、放送は、全世界的にアナログ放送からデジタル放送へと移りつつある。
【０００３】
デジタル放送とは、デジタル映像及び音声信号を送出する放送のことを指す。デジタル放送は、アナログ放送に比べて、外部雑音に強いためデータ損失が少なく、エラー訂正に有利で、解像度が高く、鮮明な画面を提供する。また、デジタル放送は、アナログ放送と違い、両方向サービスが可能である。
【発明の概要】
【発明が解決しようとする課題】
【０００４】
本発明の目的は、ユーザーの使い勝手を向上させることができる映像表示装置及び遠隔制御装置並びにその動作方法を提供することにある。
【０００５】
また、本発明の他の目的は、映像表示装置及び遠隔制御装置を用いて、他の電子機器を簡便に制御することができる方法を提供することにある。
【課題を解決するための手段】
【０００６】
上記目的を達成するための本発明の実施例に係る映像表示装置の動作方法は、ＩＲブラスターメニュー画面を表示する段階と、画面に含まれる電子機器のいずれか一つに対する選択入力を受信する段階と、選択入力に基づいて、選択された電子機器のＩＲフォーマットキー情報または選択された電子機器の機器情報を遠隔制御装置に送信する段階と、を含む。
【０００７】
上記目的を達成するための本発明の実施例に係る遠隔制御装置の動作方法は、映像表示装置から所定電子機器のＩＲフォーマットキー情報または電子機器の機器情報を受信する段階と、受信した情報に基づいて、電子機器のＩＲフォーマットキーに適合するようにＩＲ信号を生成する段階と、ＩＲ信号を電子機器に送信する段階と、を含む。
【０００８】
上記目的を達成するための本発明の実施例に係る映像表示装置は、ＩＲブラスターモード画面を表示するディスプレイと、画面に含まれる電子機器のいずれか一つに対する選択入力を遠隔制御装置から受信するインターフェース部と、選択入力に基づいて、選択された電子機器のＩＲフォーマットキー情報または選択された電子機器の機器情報を遠隔制御装置に送信するように制御する制御部と、を備える。
【０００９】
上記目的を達成するための本発明の実施例に係る遠隔制御装置は、映像表示装置から所定の電子機器のＩＲフォーマットキー情報または電子機器の機器情報を受信する第１モジュールと、受信した情報に基づいて、電子機器のＩＲフォーマットキーに適合するようにＩＲ信号を生成し、または、変更するように制御する制御部と、ＩＲ信号を前記電子機器に送信する第２モジュールと、を備える。
【発明の効果】
【００１０】
本発明によれば、映像表示装置及び遠隔制御装置を用いて、他の電子機器を簡便に制御でき、ユーザーの使い勝手を向上させることが可能になる。
【図面の簡単な説明】
【００１１】
【図１】ＩＲブラスター（Ｂｌａｓｔｅｒ）を説明するための図である。
【図２】本発明の一実施例に係る映像表示装置の内部ブロック図である。
【図３】図１における制御部の内部ブロック図である。
【図４】図２における遠隔制御装置の制御方法を示す図である。
【図５Ａ】本発明の一実施例に係る遠隔制御装置の斜視図である。
【図５Ｂ】本発明の一実施例に係る遠隔制御装置の内部ブロック図である。
【図６】本発明の一実施例に係る映像表示装置の動作方法を示すフローチャートである。
【図７】図６の動作方法を説明するための図である。
【図８】図６の動作方法を説明するための図である。
【図９】本発明の一実施例に係る遠隔制御装置の動作方法を示すフローチャートである。
【図１０】図９の動作方法を説明するための図である。
【図１１】図９の動作方法を説明するための図である。
【図１２】映像表示装置及び遠隔制御装置の動作方法を説明するために参照される図である。
【発明を実施するための形態】
【００１２】
以下、図面を参照しつつ、本発明を詳しく説明する。
【００１３】
以下の説明で用いられる構成要素に付けられる接尾辞「モジュール」及び「部」は、単に、本明細書作成上の容易さのみを考慮したもので、それ自体として特に重要な意味または役割を有するものではない。したがって、「モジュール」及び「部」は互いに混用されてもよい。
【００１４】
図１は、ＩＲブラスター（Ｂｌａｓｔｅｒ）を説明するための図である。
【００１５】
ＩＲブラスター機能は、主に、所定フォーマットの制御信号を受信し、周辺機器の制御に適合したＩＲ信号を周辺機器の受光部に送信する機能のことを指す。
【００１６】
かかるＩＲブラスター機能は、映像表示装置で行われてもよく、映像表示装置を活用して行われてもよい。
【００１７】
同図を参照すると、映像表示装置１００内に他の電子機器を制御するための統合（ｕｎｉｖｅｒｓａｌ）ＩＲマイコンを組み込み、入力された情報１０３について制御部で統合ＩＲマイコンに情報を送ると、外部の有線ケーブル（Ｃａｂｌｅ）ＩＲ送信機１０４を外部機器１０２のＩＲ受光部に取り付けて外部機器を制御した。ここで、統合ＩＲマイコンは制御部に統合したものでよい。
【００１８】
一方、この場合、各種のデータを送受信するケーブル１０３の他に、別のＩＲブラスターケーブル１０４が要求される問題点がある。
【００１９】
なお、近接している外部機器に限って適用できる制約がある他、ケーブルＩＲ送信機の個数によって制御可能な外部機器の数にも制約が発生する。
【００２０】
一方、映像表示装置の外部に設けられるＩＲブラスターボックスを用いて、多数の無線ＩＲを様々な方向に対応可能とし、周辺の多数の装備を制御する方法が可能である。
【００２１】
しかしながら、この場合にも、無線ＩＲ送信機の方向によって制約された制御しかできず、ＩＲ受信範囲外の角度に位置している外部機器は制御できないという制約があった。
【００２２】
そこで、本発明は、外部の電子機器にＩＲブラスター機能を適用する際に、空間的な制約と外部機器への支援に対する広い拡張性の側面において有利な動作方法を提供する。
【００２３】
図２は、本発明の一実施例に係る映像表示装置の内部ブロック図である。
図２を参照すると、本発明の一実施例に係る映像表示装置１００は、放送受信部１０５、外部装置インターフェース部１３０、記憶部１４０、ユーザー入力インターフェース部１５０、センサー部（図示せず）、制御部１７０、ディスプレイ１８０、及びオーディオ出力部１８５を備えることができる。
【００２４】
放送受信部１０５は、チューナー部１１０、復調部１２０、及びネットワークインターフェース部１３５を備えることができる。もちろん、必要によって、チューナー部１１０及び復調部１２０は備え、ネットワークインターフェース部１３５は省く設計にすることも可能であり、逆に、ネットワークインターフェース部１３５を備え、チューナー部１１０及び復調部１２０は省く設計にすることも可能である。
【００２５】
チューナー部１１０は、アンテナから受信するＲＦ（Ｒａｄｉｏ  Ｆｒｅｑｕｅｎｃｙ）放送信号から、ユーザーにより選択されたチャンネルまたは既に記憶されている全てのチャンネルに該当するＲＦ放送信号を選択する。また、選択されたＲＦ放送信号を中間周波数信号、ベースバンド映像または音声信号に変換する。
【００２６】
例えば、選択されたＲＦ放送信号がデジタル放送信号であれば、デジタルＩＦ信号（ＤＩＦ）に変換し、アナログ放送信号であれば、アナログベースバンド映像または音声信号（ＣＶＢＳ／ＳＩＦ）に変換する。すなわち、チューナー部１１０は、デジタル放送信号またはアナログ放送信号を処理することができる。チューナー部１１０から出力されるアナログベースバンド映像または音声信号（ＣＶＢＳ／ＳＩＦ）は、制御部１７０に直接入力されることが可能である。
【００２７】
また、チューナー部１１０は、ＡＴＳＣ（Ａｄｖａｎｃｅｄ  Ｔｅｌｅｖｉｓｉｏｎ  Ｓｙｓｔｅｍ  Ｃｏｍｍｉｔｔｅｅ）方式に基づく単一キャリアのＲＦ放送信号、またはＤＶＢ（Ｄｉｇｉｔａｌ  Ｖｉｄｅｏ  Ｂｒｏａｄｃａｓｔｉｎｇ）方式に基づく複数キャリアのＲＦ放送信号を受信することができる。
【００２８】
一方、チューナー部１１０は、本発明でアンテナから受信するＲＦ放送信号から、チャンネル記憶機能を通じて記憶された全ての放送チャンネルのＲＦ放送信号を順次に選択し、これを中間周波数信号、ベースバンド映像または音声信号に変換することができる。
【００２９】
一方、チューナー部１１０は、複数のチャンネルの放送信号を受信するために、複数のチューナーにしてもよい。または、複数のチャンネルの放送信号を同時に受信する単一のチューナーにしてもよい。
【００３０】
復調部１２０は、チューナー部１１０で変換されたデジタルＩＦ信号（ＤＩＦ）を受信して復調動作を行う。
【００３１】
復調部１２０は、復調及びチャンネル復号を行った後に、ストリーム信号（ＴＳ）を出力することができる。ここで、ストリーム信号は、映像信号、音声信号またはデータ信号が多重化された信号でよい。
【００３２】
復調部１２０から出力されたストリーム信号は、制御部１７０に入力され、制御部１７０は、逆多重化、映像/音声信号処理などを行った後に、ディスプレイ１８０に映像を出力し、オーディオ出力部１８５に音声を出力することができる。
【００３３】
外部装置インターフェース部１３０は、接続された外部装置１９０とデータを送信または受信することができる。そのために、外部装置インターフェース部１３０は、Ａ／Ｖ入出力部（図示せず）または無線通信部（図示せず）を備えることができる。
【００３４】
外部装置インターフェース部１３０は、ＤＶＤ（Ｄｉｇｉｔａｌ  Ｖｅｒｓａｔｉｌｅ  Ｄｉｓｋ）、ブルーレイ（Ｂｌｕｒａｙ）、ゲーム機器、カメラ、カムコーダー、コンピュータ（ノートパソコン）、セットトップボックスなどのような外部装置と有線／無線で接続可能であり、外部装置と入力／出力動作を行うこともできる。
【００３５】
Ａ／Ｖ入出力部は、外部装置の映像及び音声信号を取り込むことができる。一方、無線通信部は、他の電子機器と近距離無線通信を行うことができる。
【００３６】
ネットワークインターフェース部１３５は、映像表示装置１００をインターネット網を含む有線／無線ネットワークに接続するためのインターフェースを提供する。例えば、ネットワークインターフェース部１３５は、ネットワークを介して、インターネット、コンテンツプロバイダーまたはネットワーク運営者が提供するコンテンツまたはデータを受信することができる。
【００３７】
一方、ネットワークインターフェース部１３５は、映像表示装置１００周辺の隣接電磁機器とデータ通信を行うことができる。この時、ネットワークインターフェース部１３５は、他の電子機器の機器情報、他の電子機器の遠隔制御可能なチャンネル情報、周波数情報またはコード情報などを受信することもできる。
【００３８】
記憶部１４０は、制御部１７０内の各信号処理及び制御のためのプログラムを格納することもでき、信号処理された映像、音声またはデータ信号を格納することもできる。
【００３９】
また、記憶部１４０は、外部装置インターフェース部１３０に入力される映像、音声またはデータ信号を臨時記憶する機能を有することもできる。また、記憶部１４０は、チャンネルマップなどのチャンネル記憶機能を用いて所定の放送チャンネルに関する情報を記憶することもできる。
【００４０】
また、記憶部１４０は、ＩＲ信号で他の電子機器を制御するためのＩＲフォーマットキー（ｋｅｙ）コードを記憶することができ、複数の電子機器のＩＲフォーマットキーデータベースを記憶することができる。
【００４１】
図２では、記憶部１４０が制御部１７０と別に設けられた実施例を示しているが、本発明の範囲はこれに限定されず、記憶部１４０は制御部１７０内に設けられてもよい。
【００４２】
ユーザー入力インターフェース部１５０は、ユーザーの入力した信号を制御部１７０に伝達し、または、制御部１７０からの信号をユーザーに伝達する。
【００４３】
例えば、ユーザー入力インターフェース部１５０は、遠隔制御装置２００からの電源オン／オフ、チャンネル選択、画面設定などのユーザー入力信号を送信／受信し、電源キー、チャンネルキー、ボリュームキー、設定値などのローカルキー（図示せず）から入力されるユーザー入力信号を制御部１７０に伝達し、ユーザーのジェスチャーをセンシングするセンサー部（図示せず）から入力されるユーザー入力信号を制御部１７０に伝達し、または、制御部１７０からの信号をセンサー部（図示せず）に送信できる。
【００４４】
本発明の実施例によって、ユーザー入力インターフェース部１５０は、遠隔制御装置２００から個人情報を受信することができる。なお、個人情報の他に、個人情報に基づいて接続しているウェブサーバー情報をさらに受信することもできる。
【００４５】
例えば、携帯端末機と遠隔制御装置２００とが所定距離以内に接近して、近距離磁場通信（ＮＦＣ）を行う場合に、遠隔制御装置２００は、携帯端末機内に記憶されている個人情報を受信することができる。そして、遠隔制御装置２００は、ＩＲ方式またはＲＦ方式などによって、個人情報を映像表示装置１００に送信することができる。この時、ユーザー入力インターフェース部１５０は、受信される個人情報を制御部１７０に伝達する。
【００４６】
ここで、個人情報は、携帯端末機の個人ＩＤ情報、パスワード情報、個人電子メール情報などを含むことができる。または、個人情報は、映像表示装置１００の個人ＩＤ情報、パスワード情報、個人電子メール情報などを含むことができる。または、個人情報は、携帯端末機をはじめとする各種の電子機器で共用可能な、個人ＩＤ情報またはパスワード情報などでもよい。または、個人情報は、携帯端末機であらかじめ記憶された所定ウェブサーバーへの個人ＩＤ情報、パスワード情報などでよい。または、個人情報は、携帯端末機をはじめとする映像表示装置１００などで使用可能な、所定ウェブサーバーへの個人ＩＤ情報、パスワード情報などでよい。または、個人情報は、映像表示装置１００に接続されたサーバーの、個人ＩＤ情報、パスワード情報などでよい。
【００４７】
すなわち、個人情報は、電子機器またはサービスに所定のアカウントでログインするために必要な情報でよい。
【００４８】
一方、ユーザー入力インターフェース部１５０は、遠隔制御装置２００から伝送される、映像表示装置１００周辺の隣接電子機器から、他の電子機器の機器情報、他の電子機器の遠隔制御可能なチャンネル情報、周波数情報またはコード情報などを受信することもできる。
【００４９】
制御部１７０は、チューナー部１１０、復調部１２０または外部装置インターフェース部１３０を介して、入力されるストリームを逆多重化し、または、逆多重化された信号を処理して、映像または音声出力のための信号を生成及び出力することができる。
【００５０】
制御部１７０で映像処理された映像信号は、ディスプレイ１８０に入力され、当該映像信号に対応する映像として表示されてもよく、または、外部装置インターフェース部１３０を介して外部の出力装置に入力されてもよい。
【００５１】
制御部１７０で処理された音声信号は、オーディオ出力部１８５に音響出力されてもよく、外部装置インターフェース部１３０を介して外部の出力装置に入力されてもよい。
【００５２】
図２には示していないが、制御部１７０は、逆多重化部、映像処理部などを有することができる。これについては、図３を参照して後述する。
【００５３】
その他、制御部１７０は、映像表示装置１００内の全般的な動作を制御することができる。例えば、制御部１７０は、チューナー部１１０を制御して、ユーザーにより選択されたチャンネルまたは既に記憶されているチャンネルに該当するＲＦ放送を選択（Ｔｕｎｉｎｇ）するように制御できる。
【００５４】
また、制御部１７０は、ユーザー入力インターフェース部１５０を通じて入力されたユーザー命令または内部プログラムに応じて映像表示装置１００を制御することができる。
【００５５】
一方、制御部１７０は、映像を表示するようにディスプレイ１８０を制御することができる。この時、ディスプレイ１８０に表示される映像は、静止映像または動映像でよく、２Ｄ映像または３Ｄ映像でよい。
【００５６】
一方、制御部１７０は、ディスプレイ１８０に表示される映像のうち、所定のオブジェクトに対して３Ｄオブジェクトとして生成して表示されるようにできる。例えば、オブジェクトは、接続されたウェブ画面（新聞、雑誌など）、ＥＰＧ（Ｅｌｅｃｔｒｏｎｉｃ  Ｐｒｏｇｒａｍ  Ｇｕｉｄｅ）、種々のメニュー、ウィジェット(widgets)、アイコン、静止映像、動映像、テキストの内の少なくとも一つでよい。
【００５７】
一方、制御部１７０は、撮影部（図示せず）から撮影された映像に基づいて、ユーザーの位置を認識することができる。例えば、ユーザーと映像表示装置１００間の距離（ｚ軸座標）を把握することができる。その他、ユーザー位置に対応するディスプレイ１８０内のｘ軸座標及びｙ軸座標が把握できる。
【００５８】
一方、本発明の実施例によって、制御部１７０は、遠隔制御装置２００から受信した個人情報に基づいてログインを行うように制御することができる。ここで、ログインは、映像表示装置１００自体へのログイン、映像表示装置１００に接続したサーバーへのログイン、または個人情報により加入した所定ウェブサーバーへのログインでよい。
【００５９】
例えば、遠隔制御装置２００から受信する個人ＩＤ情報、パスワード情報に基づいて映像表示装置１００自体にログインした場合に、制御部１７０は、ユーザーアカウント別に設定された個人画面をディスプレイ１８０に表示するように制御できる。視聴中の映像がある場合に、制御部１７０は、視聴中の映像と共に、個人設定画面を表示するように制御できる。または、視聴中の映像を個人設定画面に切り替えて表示するように制御することも可能である。
【００６０】
他の例として、映像表示装置１００に接続したサーバーにログインする場合に、制御部１７０は、当該サーバーから受信するサーバー接続画面がディスプレイ１８０に表示されるように制御することができる。この画面は、具体的に、アプリケーションサーバー（ａｐｐ  ｓｅｒｖｅｒ）画面でよい。視聴中の映像がある場合に、制御部１７０は、視聴中の映像と共に、サーバー接続画面を表示するように制御することができる。または、視聴中の映像をサーバー接続画面に切り替えて表示するように制御することも可能である。
【００６１】
他の例として、受信する個人情報が他の電子機器、例えば、携帯端末機で接続している所定ウェブサーバーに関する個人情報である場合に、制御部１７０は、映像表示装置１００がそれらのウェブサーバーに接続するように制御し、接続したウェブサーバーに対する画面をディスプレイ１８０に表示するように制御することができる。ここで、ウェブサーバーはソーシャルネットワークサービスを提供するウェブサーバーでよい。視聴中の映像がある場合に、制御部１７０は、視聴中の映像と共に、接続したウェブサーバーの画面を表示するように制御できる。または、視聴中の映像を、接続したウェブサーバーの画面に切り替えて表示するように制御することも可能である。
【００６２】
一方、制御部１７０は、個人情報を受信した状態で、映像表示装置１００の電源がオフ状態にあれば、映像表示装置１００の電源をオンにするように電源供給部（図示せず）を制御することができる。すなわち、待機モードにおいて、ユーザー入力インターフェース部１５０から個人情報が受信されると、制御部１７０は、ウェイクアップモード（ｗａｋｅ  ｕｐ  ｍｏｄｅ）に切り替わって、各種モジュールまたはユニットに電源を供給するように電源供給部を制御することができる。
【００６３】
一方、制御部１７０は、ネットワークインターフェース部１３５またはユーザー入力インターフェース部１５０から受信される、映像表示装置１００周辺の隣接電子機器の機器情報、他の電子機器の遠隔制御可能なチャンネル情報、周波数情報またはコード情報などに基づき、遠隔制御装置２００からの個人情報により各電子機器などが接続されたか否かを判断し、他の電子機器がログインされたことを示すオブジェクトをディスプレイ１８０に表示するように制御できる。
【００６４】
または、制御部１７０は、映像表示装置１００周辺の隣接電子機器の機器情報、他の電子機器の遠隔制御可能なチャンネル情報、周波数情報またはコード情報などに基づき、遠隔制御装置２００に、該当の機器情報、チャンネル情報、周波数情報またはコード情報を伝送するように制御できる。
【００６５】
一方、図示してはいないが、チャンネル信号または外部入力信号に対応するサムネイル映像を生成するチャンネルブラウジング処理部がさらに備えられてもよい。チャンネルブラウジング処理部は、復調部１２０から出力したストリーム信号（ＴＳ）または外部装置インターフェース部１３０から出力したストリーム信号などを取り込み、該ストリーム信号から映像を取り出してサムネイル映像を生成することができる。生成されたサムネイル映像は、復号された映像などと共にストリーム復号されて制御部１７０に入力され、制御部１７０は、入力されたサムネイル映像を用いて複数のサムネイル映像を有するサムネイルリストをディスプレイ１８０に表示することができる。
【００６６】
この時、サムネイルリストは、ディスプレイ１８０に所定の映像を表示したまま、その一部の領域に表示される簡便閲覧方式で表示されてもよく、ディスプレイ１８０の大部分の領域に表示される全体閲覧方式で表示されてもよい。このようなサムネイルリスト中のサムネイル映像は順次にアップデートされてもよい。
【００６７】
ディスプレイ１８０は、制御部１７０で処理された映像信号、データ信号、ＯＳＤ信号、制御信号、または外部装置インターフェース部１３０から受信する映像信号、データ信号、制御信号などを変換して駆動信号を生成する。
【００６８】
ディスプレイ１８０は、ＰＤＰ、ＬＣＤ、ＯＬＥＤ、フレキシブルディスプレイ（ｆｌｅｘｉｂｌｅ  ｄｉｓｐｌａｙ）などでよく、３次元ディスプレイ（３Ｄ  ｄｉｓｐｌａｙ）でもよい。
【００６９】
一方、ディスプレイ１８０は、タッチスクリーンで構成され、出力装置の他、入力装置に用いられてもよい。
【００７０】
オーディオ出力部１８５は、制御部１７０で音声処理された信号を受信して音声として出力する。
【００７１】
撮影部（図示せず）はユーザーを撮影する。撮影部（図示せず）は、１個のカメラで具現されてもよいが、これに限定されず、複数個のカメラで具現されてもよい。一方、撮影部（図示せず）は、ディスプレイ１８０の上部において映像表示装置１００に埋め込まれてもよく、別に配置されてもよい。撮影部（図示せず）で撮影した映像情報は制御部１７０に入力することができる。
【００７２】
制御部１７０は、撮影部（図示せず）で撮影された映像、またはセンサー部（図示せず）からの感知された信号のそれぞれまたはその組み合わせに基づいてユーザーのジェスチャーを感知することができる。
【００７３】
遠隔制御装置２００は、ユーザー入力をユーザー入力インターフェース部１５０に送信する。そのために、遠隔制御装置２００は、ブルートゥース（Ｂｌｕｅｔｏｏｔｈ）、ＲＦ（Ｒａｄｉｏ  Ｆｒｅｑｕｅｎｃｙ）通信、赤外線（ＩＲ）通信、ＵＷＢ（Ｕｌｔｒａ  Ｗｉｄｅｂａｎｄ）、ジクビー（ＺｉｇＢｅｅ）方式、近距離磁場通信（ＮＦＣ）方式などを用いることができる。
【００７４】
また、遠隔制御装置２００は、ユーザー入力インターフェース部１５０から出力した映像、音声またはデータ信号などを受信することができる。また、遠隔制御装置２００は、該受信した映像、音声またはデータ信号に基づいて、遠隔制御装置２００で表示したり音声出力したりできる。
【００７５】
一方、本発明の実施例に係る遠隔制御装置２００は、所定の電子機器と近距離磁場通信などにより、個人情報を受信することができる。個人情報は、上述したように、携帯端末機、映像表示装置、または電子機器などで使用可能な、個人ＩＤ情報、パスワード情報でよい。ここで、個人情報は、機器別に異なってもよいが、本発明の実施例では、一つの統合個人ＩＤ及びパスワードを中心に説明する。
【００７６】
一方、遠隔制御装置２００は、受信した個人情報を、映像表示装置１００に伝送することができる。この時、通信方式にはＩＲ方式またはＲＦ方式を用いることができる。
【００７７】
本発明の実施例では、遠隔制御装置２００としてユーザーの動きに対応するポインタ表示ができる空間リモコンを挙げて説明する。すなわち、遠隔制御装置２００は、ＲＦ方式を用いて映像表示装置１００に個人情報などを伝送することができる。
【００７８】
一方、遠隔制御装置２００は、個人情報の他に、個人情報によって接続しているウェブサーバー情報などをさらに受信することもできる。例えば、携帯端末機でログイン接続中のソーシャルネットワークサービスに関するウェブサーバー情報を受信することもできる。このようなウェブサーバー情報も映像表示装置１００に伝送される。
【００７９】
一方、映像表示装置１００周辺の隣接電子機器から、他の電子機器の機器情報、他の電子機器の遠隔制御可能なチャンネル情報、周波数情報またはコード情報などを受信することも可能である。このような他の電子機器情報に基づいて、該当の電子機器にチャンネル、周波数またはコードを割り当てて遠隔制御を行うことができる。
【００８０】
一方、上述した映像表示装置１００は、固定型または移動型のデジタル放送を受信可能なデジタル放送受信機でよい。
【００８１】
一方、図２に示す映像表示装置１００のブロック図は、本発明の一実施例のためのブロック図に過ぎない。ブロック図の各構成要素は、実際に具現される映像表示装置１００の仕様に応じて統合、追加、または省略可能である。すなわち、必要によって、２以上の構成要素が一つの構成要素に統合され、あるいは一つの構成要素が２以上の構成要素に細分化されてもよい。また、各ブロックで行う機能は、本発明の実施例を説明するためのもので、その具体的な動作や装置に本発明の権利範囲が制限されることはない。
【００８２】
一方、映像表示装置１００は、図２とは違い、チューナー部１１０と復調部１２０を備えず、ネットワークインターフェース部１３５または外部装置インターフェース部１３０を介して映像コンテンツを受信し、これを再生する構成にしてもよい。
【００８３】
図３は、図２に示す制御部の内部ブロック図である。
同図を参照すると、本発明の一実施例に係る制御部１７０は、逆多重化部３１０、映像処理部３２０、プロセッサ３３０、ＯＳＤ生成部３４０、ミキサー３４５、フレームレート変換部３５０、及びフォーマッタ３６０を備えることができる。なお、音声処理部（図示せず）、データ処理部（図示せず）をさらに備えることもできる。
【００８４】
逆多重化部３１０は、入力されるストリームを逆多重化する。例えば、ＭＰＥＧ−２ ＴＳが入力される場合に、それを逆多重化してそれぞれ映像、音声及びデータ信号に分離することができる。ここで、逆多重化部３１０に入力されるストリーム信号は、チューナー１１０、復調部１２０または外部装置インターフェース部１３０から出力されるストリーム信号でよい。
【００８５】
映像処理部３２０は、逆多重化された映像信号の映像処理を行うことができる。そのために、映像処理部３２０は、映像デコーダ３２５及びスケーラー３３５を備えることができる。
【００８６】
映像デコーダ３２５は、逆多重化された映像信号を復号し、スケーラー３３５は、復号された映像信号の解像度をディスプレイ１８０に出力可能なようにスケーリング（ｓｃａｌｉｎｇ）する。
【００８７】
映像デコーダ３２５は、様々な規格のデコーダを備えることができる。
【００８８】
プロセッサ３３０は、映像表示装置１００または制御部１７０の動作全般を制御することができる。例えば、プロセッサ３３０は、チューナー１１０を制御し、ユーザーにより選択されたチャンネルまたは既に記憶されているチャンネルに該当するＲＦ放送を選択（Ｔｕｎｉｎｇ）することができる。
【００８９】
また、プロセッサ３３０は、ユーザー入力インターフェース部１５０を通じて入力されたユーザー命令または内部プログラムに応じて映像表示装置１００を制御することができる。
【００９０】
また、プロセッサ３３０は、ネットワークインターフェース部１３５または外部装置インターフェース部１３０とのデータ伝送の制御を行うことができる。
【００９１】
また、プロセッサ３３０は、制御部１７０における逆多重化部３１０、映像処理部３２０、ＯＳＤ生成部３４０などの動作を制御することができる。
【００９２】
ＯＳＤ生成部３４０は、ユーザー入力に基づいてまたは自体的にＯＳＤ信号を生成する。例えば、ユーザー入力信号に基づいて、ディスプレイ１８０の画面に各種の情報をグラフィック（Ｇｒａｐｈｉｃ）やテキスト（Ｔｅｘｔ）として表示するための信号を生成することができる。生成されるＯＳＤ信号は、映像表示装置１００のユーザーインターフェース画面、様々なメニュー画面、ウィジェット、アイコンなどの様々なデータを含むことができる。また、生成されるＯＳＤ信号は、２Ｄオブジェクトまたは３Ｄオブジェクトを含むことができる。
【００９３】
また、ＯＳＤ生成部３４０は、遠隔制御装置２００から入力されるポインティング信号に基づいて、ディスプレイに表示可能な、ポインタを生成することができる。特に、このようなポインタはポインティング信号処理部で生成されるとよく、ＯＳＤ生成部２４０は、このようなポインティング信号処理部（図示せず）を備えることができる。もちろん、ポインティング信号処理部（図示せず）がＯＳＤ生成部２４０内に設けられず、別に設けられることも可能である。
【００９４】
一方、本発明の実施例に関連して、ＯＳＤ生成部３４０は、映像表示装置１００自体にログインされた場合に、設定された個人画面を生成または構成することができる。または、ＯＳＤ生成部３４０は、接続されたサーバーにログインする場合に、当該サーバーから受信されるサーバー接続画面をディスプレイ１８０に表示するように、サーバー接続画面の少なくとも一部を生成したり構成したりできる。または、ＯＳＤ生成部３４０は、個人情報により接続しているウェブサーバー情報に基づいて、当該ウェブサーバー接続画面の少なくとも一部を生成したり構成したりできる。
【００９５】
ミキサー３４５は、ＯＳＤ生成部３４０で生成されたＯＳＤ信号と映像処理部３２０で映像処理された復号された映像信号とをミキシングすることができる。ここで、ＯＳＤ信号と復号された映像信号はそれぞれ、２Ｄ信号及び３Ｄ信号の少なくとも一つを含むことができる。ミキシングされた映像信号は、フレームレート変換部３５０に提供される。
【００９６】
フレームレート変換部（Ｆｒａｍｅ  Ｒａｔｅ  Ｃｏｎｖｅｔｅｒ、ＦＲＣ）３５０は、入力された映像のフレームレートを変換することができる。一方、フレームレート変換部３５０は、入力映像を別にフレームレート変換せずにそのまま出力することもある。
【００９７】
フォーマッタ（Ｆｏｒｍａｔｔｅｒ）３６０は、ミキサー３４５でミキシングされた信号、すなわち、ＯＳＤ信号及び復号された映像信号を受信し、ディスプレイ１８０に適合するように信号のフォーマットを変更して出力する。例えば、Ｒ、Ｇ、Ｂデータ信号を出力することができ、これらＲ、Ｇ、Ｂデータ信号を、低電圧差動シグナリング（Ｌｏｗ  ｖｏｌｔａｇｅ  ｄｉｆｆｅｒｅｎｔｉａｌ  ｓｉｇｎａｌｉｎｇ、ＬＶＤＳ）またはｍｉｎｉ−ＬＶＤＳで出力することができる。
【００９８】
一方、フォーマッタ３６０は、３Ｄ映像表示のために、２Ｄ映像信号と３Ｄ映像信号とを分離することができる。また、３Ｄ映像信号のフォーマットを変更し、または、２Ｄ映像信号を３Ｄ映像信号に切り替えてもよい。
【００９９】
一方、制御部１７０における音声処理部（図示せず）は、逆多重化された音声信号の音声処理を行うことができる。そのために、音声処理部（図示せず）は様々なデコーダを備えることができる。
【０１００】
また、制御部１７０における音声処理部（図示せず）は、ベース（Ｂａｓｓ）、トレブル（Ｔｒｅｂｌｅ）、音量調節などを処理することができる。
【０１０１】
制御部１７０におけるデータ処理部（図示せず）は、逆多重化されたデータ信号のデータ処理を行うことができる。例えば、逆多重化されたデータ信号が符号化されたデータ信号である場合に、それを復号することができる。符号化されたデータ信号は、各チャンネルで放映される放送番組の開始時間、終了時間などの放送情報を含むＥＰＧ（Ｅｌｅｃｔｒｏｎｉｃ  Ｐｒｏｇｒａｍ  Ｇｕｉｄｅ）情報でよい。
【０１０２】
一方、図３では、ＯＳＤ生成部３４０及び映像処理部３２０からの信号をミキサー３４５でミキシングした後に、フォーマッタ３６０で３Ｄ処理などをするとしたが、これに限定されず、ミキサーがフォーマッタの後に位置する構成にしてもよい。
【０１０３】
一方、図３に示す制御部１７０のブロック図は、本発明の一実施例のためのブロック図に過ぎず、ブロック図の各構成要素は、実際に具現される制御部１７０の仕様に応じて統合、追加、または省略可能である。
【０１０４】
特に、フレームレート変換部３５０及びフォーマッタ３６０は、制御部１７０内に設けられず、それぞれ別に設けられてもよい。
【０１０５】
図４は、図１における遠隔制御装置の制御方法を示す図である。
【０１０６】
図４の（ａ）は、ディスプレイ１８０に遠隔制御装置２００に対応するポインタ２０５が表示されることを例示している。
【０１０７】
ユーザーは、遠隔制御装置２００を上下、左右（図４の（ｂ））、前後（図４の（ｃ））に動かしたり回転させたりできる。映像表示装置のディスプレイ１８０に表示されたポインタ２０５は、遠隔制御装置２００の動きに対応する。このような遠隔制御装置２００は、同図のように、３Ｄ空間上の動きに従ってポインタ２０５が移動して表示されることから、空間リモコンと呼ぶこともできる。
【０１０８】
図４の（ｂ）は、ユーザーが遠隔制御装置２００を左に移動させると、映像表示装置のディスプレイ１８０に表示されたポインタ２０５もそれに対応して左に移動することを例示している。
【０１０９】
遠隔制御装置２００のセンサーにより感知された遠隔制御装置２００の動きに関する情報は、映像表示装置に伝送される。映像表示装置は、遠隔制御装置２００の動きに関する情報からポインタ２０５の座標を算出することができる。映像表示装置は、算出した座標に対応するようにポインタ２０５を表示することができる。
【０１１０】
図４の（ｃ）は、遠隔制御装置２００中の特定ボタンを押した状態で、ユーザーが遠隔制御装置２００をディスプレイ１８０から遠ざかるように移動させる場合を例示している。これにより、ポインタ２０５に対応するディスプレイ１８０内の選択領域をズームインして拡大表示することができる。これと逆に、ユーザーが遠隔制御装置２００をディスプレイ１８０に近づかせることで、ポインタ２０５に対応するディスプレイ１８０内の選択領域をズームアウトして縮小表示することができる。一方、遠隔制御装置２００がディスプレイ１８０から遠ざかると選択領域がズームアウトされ、遠隔制御装置２００がディスプレイ１８０に近づくと選択領域がズームインされるようにしてもよい。
【０１１１】
一方、遠隔制御装置２００中の特定ボタンを押した状態では、上下、左右の移動は認識されないようにすることができる。すなわち、遠隔制御装置２００がディスプレイ１８０に対して遠ざける、または近づくように移動する場合に、上、下、左、右の移動は認識されず、前後の移動のみ認識されるようにすることができる。遠隔制御装置２００中の特定ボタンを押していない状態では、遠隔制御装置２００の上、下、左、右の移動によってポインタ２０５のみ移動するようになる。
【０１１２】
一方、ポインタ２０５の移動速度や移動方向は、遠隔制御装置２００の移動速度や移動方向に対応すればよい。
【０１１３】
図５Ａは、本発明の一実施例に係る遠隔制御装置の斜視図であり、図５Ｂは、遠隔制御装置の内部ブロック図である。
図５Ａを参照すると、本発明の一実施例に係る空間リモコン200は、種々の入力キーまたは入力ボタンなどを備えることができる。
【０１１４】
例えば、空間リモコン200は、確認キー（Ｏｋａｙ  ｋｅｙ）２９１、メニューキー２９２、四方キー２９３、チャンネル調整キー２９４、ボリューム調整キー２９６を備えることができる。
【０１１５】
例えば、確認キー２９１は、メニューまたは項目の選択時に使用可能であり、メニューキー２９２は、所定メニューの表示のために使用可能であり、四方キー２９３は、ポインタまたはインジケーターを上、下、左、右に移動する時に使用可能であり、チャンネル調整キー２９４は、チャンネルの上、下調整時に使用可能であり、ボリューム調整キー２９６は、ボリュームのアップ、ダウン調整時に使用可能である。
【０１１６】
また、空間リモコン200は、バックキー（ｂａｃｋ  ｋｅｙ）２９７、ホームキー（ｈｏｍｅ  ｋｅｙ）２９８をさらに備えることができる。例えば、バックキー２９７は、前の画面への移動時に使用可能であり、ホームキー２９８は、ホーム画面への移動時に使用可能である。
【０１１７】
一方、同図のように、確認キー２９１は、スクロール機能が追加されたものでもよい。そのために、確認キー２９１をホイールキーの形態にすればよい。すなわち、確認キー２９１が押されると、該当のメニューまたは項目が選択され、確認キー２９１が上、下にスクロールされると、ディスプレイ画面のスクローリングまたはリストページの切替えなどが行われるようにすることができる。
【０１１８】
具体的には、ディスプレイ部１８０にディスプレイのサイズよりも大きい映像が表示された状態で、当該映像の探索のために確認キー２９１をスクローリングすると、現在ディスプレイに表示されていない映像領域がディスプレイに表示されるようにすることができる。他の例として、ディスプレイ部１８０にリストページが表示された場合に、確認キー２９１をスクローリングすると、現在ページの前のページまたは次のページが表示されるようにすることもできる。
【０１１９】
このようなスクロール機能を、確認キー２９１ではなく、別のキーで行うようにすることもできる。
【０１２０】
一方、四方キー２９３は、同図のように、円形タイプのものにし、その四方に上、下、左、右キーがそれぞれ配置される構成にすることができる。一方、四方キー２９３に対するタッチ入力も可能にすることができる。例えば、四方キー２９３中のアップキー（ｕｐ  ｋｅｙ）からダウンキー（ｄｏｗｎ  ｋｅｙ）までタッチ動作がある場合に、該当のタッチ入力によって、設定された機能を入力したり実行したりできる。
【０１２１】
図５Ｂを参照すると、遠隔制御装置２００は、無線通信部２２０、ユーザー入力部２３０、センサー部２４０、出力部２５０、電源供給部２６０、記憶部２７０、制御部２８０を備えることができる。無線通信部２２０は、前述した本発明の実施例に係る映像表示装置のいずれか一つと信号を送受信する。本発明の実施例に係る映像表示装置の一つである映像表示装置１００を一例として説明する。
【０１２２】
本発明の実施例によれば、映像表示装置１００のインターフェース部１５０は、遠隔制御装置２００と無線で信号を送受信できる無線通信部211と、遠隔制御装置２００の動作に対応するポインタの座標値を算出できる座標値算出部２１５と、を備えることができる。
また、無線通信部211は、ＲＦモジュール２１２を介して遠隔制御装置２００と無線で信号を送受信することができる。また、ＩＲモジュール２１３を介して、遠隔制御装置２００がＩＲ通信規格に基づいて伝送した信号を受信することができる。
【０１２３】
座標値算出部２１５は、無線通信部211を介して受信した遠隔制御装置２００の動作に対応する信号から手の振れや誤差を修正し、ディスプレイ１８０に表示するポインタの座標値（ｘ，ｙ）を算出することができる。
【０１２４】
また、インターフェース部１５０を介して映像表示装置１００に入力された遠隔制御装置２００の伝送信号は、映像表示装置１００の制御部１７０に伝送される。制御部１７０は、遠隔制御装置２００から伝送された信号から、遠隔制御装置２００の動作及びキー操作に関する情報を判別し、それに応じて映像表示装置１００を制御することができる。
【０１２５】
他の実施例において、遠隔制御装置２００は、遠隔制御装置の動作に対応するポインタの座標を算出でき、それを映像表示装置１００のインターフェース部１５０に伝送することができる。映像表示装置１００のインターフェース部１５０は、受信した座標情報を制御部１７０に伝送することができる。
【０１２６】
本実施例で、遠隔制御装置２００は、ＲＦ通信規格に基づいて映像表示装置１００と信号を送受信できるＲＦモジュール２２１を備えることができる。また、遠隔制御装置２００は、ＩＲ通信規格に基づいて映像表示装置１００と信号を送受信できるＩＲモジュール２２３を備えることができる。
【０１２７】
また、遠隔制御装置２００は、電子機器との近距離磁場通信のためのＮＦＣモジュール（図示せず）をさらに備えることができる。
【０１２８】
遠隔制御装置２００は、遠隔制御装置２００の動きなどに関する情報が含まれた信号を、ＲＦモジュール２２１を介して映像表示装置１００に伝送することができる。
【０１２９】
また、遠隔制御装置２００は、映像表示装置１００が伝送した信号を、ＲＦモジュール２２１を介して受信することができる。また、遠隔制御装置２００は、必要によって、ＩＲモジュール２２３を介して映像表示装置１００に電源オン／オフ、チャンネル変更、ボリューム変更などに関する命令を伝送することができる。
【０１３０】
一方、本実施例によって、遠隔制御装置２００は、所定の電子機器と近距離磁場通信などにより、個人情報を受信することもできる。
【０１３１】
なお、遠隔制御装置２００は、受信した個人情報を映像表示装置１００に伝送することができる。この時、通信方式としてはＩＲ方式またはＲＦ方式を用いることができる。
【０１３２】
一方、遠隔制御装置２００は、個人情報の他に、個人情報によって接続しているウェブサーバー情報などをさらに受信することもできる。例えば、携帯端末機でログイン接続中のソーシャルネットワークサービスに関するウェブサーバー情報を受信することもできる。このようなウェブサーバー情報も映像表示装置１００に伝送することができる。
【０１３３】
一方、遠隔制御装置２００は、他の電子機器の機器情報、他の電子機器の遠隔制御可能なチャンネル情報、周波数情報またはコード情報などを受信することもできる。このような他の電子機器情報に基づいて、該当の電子機器にチャンネル、周波数またはコードを割り当てて遠隔制御を行うことができる。
【０１３４】
ユーザー入力部２３０は、キーパッド、ボタン、タッチパッド、またはタッチスクリーンなどで構成することができる。ユーザーは、ユーザー入力部２３０を操作して遠隔制御装置２００に映像表示装置１００と関連した命令を入力することができる。ユーザー入力部２３０がハードキーボタンを備える場合に、ユーザーは、ハードキーボタンのプッシュ動作を通じて遠隔制御装置２００に映像表示装置１００と関連した命令を入力することができる。ユーザー入力部２３０がタッチスクリーンを備える場合に、ユーザーは、タッチスクリーンのソフトキーをタッチして遠隔制御装置２００に映像表示装置１００と関連した命令を入力することができる。また、ユーザー入力部２３０は、スクロールキやジョグキーなどのユーザー操作可能な種々の入力手段を備えることもでき、本実施例に本発明の権利範囲が制限されることはない。
【０１３５】
センサー部２４０は、ジャイロセンサー２４１または加速度センサー２４３を備えることができる。ジャイロセンサー２４１は、遠隔制御装置２００の動きに関する情報をセンシングすることができる。
【０１３６】
一例として、ジャイロセンサー２４１は、遠隔制御装置２００の動作に関する情報を、ｘ、ｙ、ｚ軸を基準にセンシングすることができる。加速度センサー２４３は、遠隔制御装置２００の移動速度などに関する情報をセンシングすることができる。さらに、距離測定センサーをさらに備えることもでき、これにより、ディスプレイ１８０との距離をセンシングすることができる。
【０１３７】
出力部２５０は、ユーザー入力部２３０の操作に対応し、または、映像表示装置１００から伝送した信号に対応する映像または音声信号を出力することができる。出力部２５０を通じてユーザーは、ユーザー入力部２３０の操作有無または映像表示装置１００の制御有無を認知することができる。
【０１３８】
例えば、出力部２５０は、ユーザー入力部２３０が操作され、または、無線通信部２２０を介して映像表示装置１００と信号が送受信されると点灯するＬＥＤモジュール２５１、振動を発生する振動モジュール２５３、音響を出力する音響出力モジュール２５５、または映像を出力するディスプレイモジュール２５７を備えることができる。
【０１３９】
電源供給部２６０は遠隔制御装置２００に電源を供給する。電源供給部２６０は、遠隔制御装置２００が所定時間動かない場合に電源供給を中断することで、電源の浪費を低減することができる。電源供給部２６０は、遠隔制御装置２００に設けられた所定のキーが操作された場合に電源の供給を再開することができる。
【０１４０】
記憶部２７０は、遠隔制御装置２００の制御または動作に必要な種々のプログラム、アプリケーションデータなどを格納することができる。もし、遠隔制御装置２００が映像表示装置１００とＲＦモジュール２２１を介して無線で信号を送受信するとすれば、遠隔制御装置２００と映像表示装置１００とは所定の周波数帯域を通じて信号を送受信する。遠隔制御装置２００の制御部２８０は、遠隔制御装置２００とペアリングされた映像表示装置１００と信号を無線で送受信できる周波数帯域などに関する情報を記憶部２７０に記憶させて参照することができる。
【０１４１】
また、記憶部２７０は、ＩＲ信号で他の電子機器を制御するためのＩＲフォーマットキーコードを記憶することができ、複数の電子機器のＩＲフォーマットキーデータベースを記憶することができる。
【０１４２】
制御部２８０は、遠隔制御装置２００の制御に関連した諸般事項を制御する。制御部２８０は、ユーザー入力部２３０の所定キー操作に対応する信号またはセンサー部２４０でセンシングした遠隔制御装置２００の動きに対応する信号を、無線通信部２２０を介して映像表示装置１００に伝送することができる。
【０１４３】
制御部２８０は、電子機器と近距離磁場通信などによって受信した個人情報が無線通信部２２０を介して映像表示装置１００に伝送されるように制御することができる。特に、ユーザー入力部２３０の所定キーの入力がある場合に、制御部２８０は、受信した個人情報が無線通信部２２０を介して映像表示装置１００に伝送されるように制御できる。
【０１４４】
なお、制御部２８０は、受信した個人情報が、映像表示装置１００だけでなく、他の電子機器にも伝送されるように制御することができる。この時、各電子機器に対応して、それぞれ異なるチャンネル、周波数またはコードを用いることができる。このようなチャンネル、周波数またはコードは、あらかじめ他の電子機器から受信した機器情報、遠隔制御可能なチャンネル情報、周波数情報またはコード情報などに基づくものでよい。
【０１４５】
図６は、本発明の一実施例に係る映像表示装置の動作方法を示すフローチャートであり、図７及び図８は、図６の動作方法を説明するために参照される図である。
【０１４６】
まず、本発明の一実施例に係る映像表示装置１００は、ディスプレイ１８０にＩＲブラスター（Ｂｌａｓｔｅｒ）メニュー画面を表示する（Ｓ６１０）。
【０１４７】
ここで、ＩＲブラスターメニュー画面を、遠隔制御装置２００の所定キー、例えばＩＲブラスターキー入力に対応して表示したり、映像表示装置のローカルキー入力に対応して表示したりできる。
【０１４８】
または、ＩＲブラスターメニュー画面は、ディスプレイ１８０の画面に表示されたＩＲブラスターメニュー進入のためのオブジェクトが選択された場合に表示することができる。
【０１４９】
図７及び図８は、ＩＲブラスターメニュー画面の一例を示す図である。
【０１５０】
図７及び図８を参照すると、ＩＲブラスターメニュー画面７１０は、電子機器の種類７２１，７２２，７２３，７２４のいずれか一つを選択できる上位メニュー７２０と、電子機器のメーカー、モデル８１１，８１２，８１３，８１４のいずれか一つを選択できる下位メニュー８１０を含むことができる。
【０１５１】
ＩＲブラスターメニュー画面７１０は、上位メニュー（１ ｄｅｐｔｈ）７２０をまず表示し、上位メニュー７２０から一つの項目（種類）が選択されると、選択された項目７２４に対応する下位メニュー（２ ｄｅｐｔｈ）８１０を順次に表示することができる。
【０１５２】
または、ＩＲブラスターメニュー画面７１０は、最初から一つの画面に上位メニュー７２０及び下位メニュー８１０の両方を表示することもできる。
【０１５３】
その後、映像表示装置１００は、ＩＲブラスターメニュー画面７１０に含まれる電子機器のいずれか一つ８１１に対する選択入力を受信する（Ｓ６２０）。
【０１５４】
このような、選択入力は、インターフェース部１５０が遠隔制御装置２００から受信することができる。
【０１５５】
一方、制御部１７０は、該選択入力に基づいて、選択された電子機器８１１のＩＲフォーマットキー情報または選択された電子機器の機器情報を遠隔制御装置２００に送信するように制御できる（Ｓ６３０）。
ここで、制御部１７０が遠隔制御装置２００に伝送する情報の内容は、実施例によって異なるものでよい。
【０１５６】
例えば、記憶部１４０が、選択された電子機器のＩＲフォーマットキー情報を既に記憶している場合には、選択された電子機器８１１のＩＲフォーマットキー情報を遠隔制御装置２００に送信することができる。
【０１５７】
または、遠隔制御装置がユーザーのコマンド入力を受信し、該受信したコマンド入力に対応するＩＲフォーマットキー情報を映像表示装置に要求する場合に、映像表示装置は、コマンド入力に対応するＩＲフォーマットキー情報を遠隔制御装置に送信することができる。
すなわち、ＩＲフォーマットキーデータベースの全体情報を一度に送信するのではなく、要求された情報に対応する情報のみを伝送することができる。
【０１５８】
一方、受信したコマンド入力に対応するＩＲフォーマットキー情報の要求は、該受信したコマンドを映像表示装置に伝達することであってもよい。
記憶部１４０は、選択された電子機器のＩＲフォーマットキー情報を含むＩＲフォーマットキーデータベースを記憶することができる。
【０１５９】
また、ＩＲフォーマットキーデータベースを記憶している場合に、映像表示装置１００は、ＩＲフォーマットキーデータベースを周期的にまたは命令に応じてアップデートすることができる。
【０１６０】
または、映像表示装置１００は、選択された電子機器のＩＲフォーマットキー情報が記憶されていない場合には、ネットワークを通じて自動でダウンロードした後に送信することもできる。
【０１６１】
一方、遠隔制御装置２００がＩＲフォーマットキー情報を記憶している場合には、映像表示装置１００は、選択された電子機器の機器情報を遠隔制御装置２００に送信して、遠隔制御装置２００がユーザーの選択した電子機器を把握するようにしてもよい。
【０１６２】
一方、インターフェース部１５０は、ＲＦモジュール２１２を有し、情報送信段階（Ｓ６３０）で、ＲＦ通信方式により情報の送信を行うことができる。
【０１６３】
ＲＦ通信方式は、ＩＲ通信方式に比べて、距離及び方向性に制限がないというメリットがあるため、選択された電子機器のＩＲフォーマットキー情報または選択された電子機器の機器情報をＲＦ通信方式で遠隔制御装置２００に送信すると、ユーザーはより便利に他の電子機器を制御することができる。
【０１６４】
図９は、本発明の一実施例に係る遠隔制御装置の動作方法を示すフローチャートであり、図１０及び図１１は、図９の動作方法を説明するために参照される図である。
【０１６５】
図示のように、遠隔制御装置２００は、映像表示装置１００から所定の電子機器１０００のＩＲフォーマットキー情報または機器情報を受信する（Ｓ９１０）。
【０１６６】
本発明は、遠隔制御装置の形状に限定されず、例えば、図１０のように、キーボードと類似な形態の遠隔制御装置２０２も可能である。
【０１６７】
遠隔制御装置２００は、映像表示装置１００から情報を受信する第１モジュールを有することができる。この場合、第１モジュールはＲＦモジュール２２１でよく、該情報の受信は、ＲＦモジュール２２１によりＲＦ通信方式で行うことができる。
【０１６８】
ＲＦ通信方式は、ＩＲ通信方式に比べて、距離及び方向性に制限がないというメリットがある。そのため、ユーザーは、ＩＲ通信方式に比べてより遠い距離でもデータを受信することができ、ユーザーは、制御しようとする電子機器の近くに移動して遠隔制御装置で電子機器を制御することができる。
すなわち、図１０のように、映像表示装置１００と他の電子機器１０００とが近接している場合の他にも、図１１に示すように、遠隔制御装置は、情報を受信した後には、映像表示装置１００と近接していない電子機器１１００の近くに移動して、他の電子機器１１００を制御することもできる。
【０１６９】
制御部２８０は、受信した情報及び入力されるコマンドに基づいて電子機器のＩＲフォーマットキーに適合するようにＩＲ信号を生成したり変更するように制御する（Ｓ９２０）。
【０１７０】
選択された電子機器のＩＲフォーマットキー情報を遠隔制御装置２００が受信した場合には、制御部２８０は、該受信された電子機器のＩＲフォーマットキー情報のうち、コマンドに対応する情報に基づいてＩＲ信号を生成することができる。
すなわち、映像表示装置１００から電子機器の制御に必要な情報を受信し、以降、ユーザーのコマンド入力があると、該情報にマッピングし、対応する信号を抽出して、コマンドに対応する信号を生成することができる。
【０１７１】
または、遠隔制御装置２００は、受信した機器情報に対応する電子機器のＩＲフォーマットキー情報を含むＩＲフォーマットキーデータベースを記憶する記憶部２７０をさらに備えることができる。
すなわち、遠隔制御装置の記憶部２７０がＩＲフォーマットキーデータベースを記憶している場合には、映像表示装置１００からユーザーがどの電子機器を選択したかに関する情報のみを受信することができる。
【０１７２】
この場合、制御部２８０は、既に記憶されているＩＲフォーマットキーデータベースのうち、当該機器情報に対応する情報に基づいて、ＩＲ信号を生成することができる。
【０１７３】
または、ユーザーのコマンド入力を受信する段階と、該受信したコマンド入力に対応するＩＲフォーマットキー情報を映像表示装置に要求する段階と、をさらに含むことができる。
すなわち、遠隔制御装置がユーザーのコマンド入力を受信し、該受信したコマンド入力に対応するＩＲフォーマットキー情報を映像表示装置に要求し、映像表示装置はコマンド入力に対応するＩＲフォーマットキー情報を遠隔制御装置に送信することができる。
【０１７４】
そのため、遠隔制御装置は、ユーザーのコマンド要求に対応するＩＲフォーマットキーを必要な度に受信して用いることができる。
すなわち、ＩＲフォーマットキーデータベースの全体情報を一度に送信するのではなく、コマンド別に対応する情報を送信することができる。
【０１７５】
一方、全体ＩＲフォーマットキー情報を受信した場合にも、ユーザーのコマンド入力に対応する信号がない場合にも、映像表示装置に必要な情報を要求することができる。
【０１７６】
一方、映像表示装置１００からＩＲフォーマットキー情報を受信する場合にも、該受信した情報を記憶部２７０に臨時に記憶させてもよい。
【０１７７】
その後、制御部２８０は、第１モジュールとは異なる第２モジュールで生成されたＩＲ信号を、電子機器に送信するように制御することができる（Ｓ９３０）。
【０１７８】
ここで、第２モジュールはＩＲモジュール２２３でよく、情報の送信は、ＩＲモジュールによりＩＲ通信方式で行うことができる。
【０１７９】
そのため、ＩＲ信号で制御される電子機器を制御するための情報を映像表示装置から距離及び方向性の制限を受けることなく受信することができ、当該電子機器がエラーなしでＩＲ信号を受信できる位置で遠隔制御装置を用いてＩＲ信号を送信することができる。
【０１８０】
図１２は、映像表示装置と遠隔制御装置の動作方法を説明するために参照される図である。
遠隔制御装置２００は、所定キー、例えば、ＩＲブラスターキー入力に対応する信号またはディスプレイ１８０の画面に表示されたＩＲブラスターメニュー進入のためのオブジェクトに対する選択信号を映像表示装置１００に伝送することができる（Ｓ１２１０）。このとき、ＲＦ信号の形態で信号を送受信することができる。
【０１８１】
映像表示装置１００は、ＩＲブラスターメニュー画面をディスプレイ１８０に表示する（Ｓ１２２０）。
【０１８２】
遠隔制御装置２００は、外部電子機器のいずれか一つを選択する入力を映像表示装置１００に送信し（Ｓ１２３０）、映像表示装置１００は、選択された外部電子機器の制御に必要な情報を遠隔制御装置２００に送信することができる（Ｓ１２４０）。
【０１８３】
一方、映像表示装置１００の記憶部１４０にＩＲキーフォーマット情報が記憶されている場合に、制御部１７０は、選択された外部機器に関するＩＲキーフォーマット情報を記憶部１４０から読み出して送信するように制御することができる。
【０１８４】
一方、遠隔制御装置２００の記憶部２７０がＩＲキーフォーマット情報を記憶している場合には、制御部１７０は遠隔制御装置２００に、選択された外部機器を知らせる。
【０１８５】
一方、図９などを参照して説明したように、映像表示装置がＩＲフォーマットキーデータベースの全体情報を一度に送信するのではなく、コマンド別に対応する情報を伝送する実施例では、映像表示装置と遠隔制御装置とが情報をやり取りする段階（Ｓ１２３０、Ｓ１２４０）をコマンド別に追加したり反復したりできる。
【０１８６】
すなわち、遠隔制御装置は、ユーザーのコマンド要求に対応するＩＲフォーマットキーを必要な度に要求し、受信して用いることができる。
【０１８７】
例えば、遠隔制御装置は、ユーザーのコマンド入力を受信すると、該受信したコマンド入力に対応するＩＲフォーマットキー情報を映像表示装置に要求し、映像表示装置は、コマンド入力に対応するＩＲフォーマットキー情報を遠隔制御装置に送信できる。
【０１８８】
遠隔制御装置は、受信したコマンド入力に対応するＩＲフォーマットキー情報に基づいてＩＲ信号を生成できる。
【０１８９】
一方、ユーザーのコマンド入力がある場合に、遠隔制御装置２００は、受信した情報に基づいて、当該コマンド入力に対応するＩＲ信号を生成し（Ｓ１２５０）、生成されたＩＲ信号を電子機器に送出し、外部電子機器を制御することができる（Ｓ１２６０）。
【０１９０】
一方、ＩＲ信号の生成は、ＩＲキーフォーマットデータベースに基づいて新しく生成すること、または、映像表示装置の制御のためのＩＲ信号の単位コード当たりのビット数、コード間の間隔、各ビットの大きさ及びコード情報リストのうち少なくとも一つを変更することでよい。
【０１９１】
本発明によれば、映像表示装置に外部電子機器の制御のための別のＩＲ送信機を備えなくても、外部電子機器の制御が可能になる。
【０１９２】
また、ＩＲ信号送受信の空間的な制約無しで外部機器を自由に制御でき、ユーザーが映像表示装置及び外部電子機器を制御しやすくなる。したがって、他の電子機器を簡便に制御でき、ユーザーの使い勝手を向上させることができる。
【０１９３】
本発明は、映像表示装置の遠隔制御装置のみを用いて多くの外部機器を極めて容易に制御することができる。特に、遠隔制御装置で制御できるため、外部機器の位置や空間的な制約を受けず、ユーザーの便宜性が極めて高いという長所がある。
【０１９４】
本発明の実施例でいうＩＲフォーマットキー情報は、遠隔で装置及び／またはその各機能を動作させるための個別のコードまたはコードの集合のことを指す。例えば、ＩＲフォーマットキー情報は、同じバイナリコード、ヘキサ（ｈｅｘａ）コードまたはその他コードのような様々なコードの類型を用いて具現することができる。
【０１９５】
本発明に係る遠隔制御装置及び映像表示装置の動作方法は、上述の実施例の構成と方法に限定されるものではなく、上述の実施例の様々な変形が可能なように、各実施例の全部または一部を選択的に組み合わせて構成することもできる。
【０１９６】
一方、本発明の遠隔制御装置及び映像表示装置の動作方法は、遠隔制御装置及び映像表示装置に設けられたプロセッサが読み取り可能な記録媒体に、プロセッサで読み込み可能なコードとすることもできる。プロセッサが読み取り可能な記録媒体は、プロセッサで読み込み可能なデータが記憶されるいかなる種類の記録装置をも含む。プロセッサが読み取り可能な記録媒体の例には、ＲＯＭ、ＲＡＭ、ＣＤ−ＲＯＭ、磁気テープ、フロッピーディスク、光データ記憶装置などがあり、さらには、インターネットを介した伝送などというキャリアウェーブの形態にしたものも含む。また、プロセッサが読み取り可能な記録媒体は、ネットワークで接続されたコンピュータシステムに分散され、プロセッサで読み込み可能なコードが分散方式で記憶されて実行されてもよい。
【０１９７】
なお、以上では本発明の好適な実施例について図示及び説明したが、本発明は、上述した特定の実施例に限定されるものではなく、当該発明の属する技術の分野における通常の知識を有する者にとっては、特許請求の範囲で請求する本発明の要旨から逸脱すことなく、様々な変形実施が可能であるということは明らかである。また、それらの変形実施は、本発明の技術的思想や展望から別として理解されてはならない。
【図１】
2013055650.tif 000003
【図２】
2013055650.tif 000004
【図３】
2013055650.tif 000005
【図４】
2013055650.tif 000006
【図５Ａ】
2013055650.tif 000007
【図５Ｂ】
2013055650.tif 000008
【図６】
2013055650.tif 000009
【図７】
2013055650.tif 000010
【図８】
2013055650.tif 000011
【図９】
2013055650.tif 000012
【図１０】
2013055650.tif 000013
【図１１】
2013055650.tif 000014
【図１２】
2013055650.tif 000015